Podtech/llm-jp-corpus-v4-ja_patent huggingface dataset:
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
基板の上のインプリント材に型を接触させて該インプリント材を硬化させることによって該基板の上にパターンを形成するインプリント装置であって、
基板を保持する基板チャックと、
前記基板チャックの周辺に配置された基板周辺部材と、
型を保持する型チャックと、
前記型チャックの周辺に配置された型周辺部材と、
前記基板周辺部材と前記型周辺部材との間に交流成分を含む電圧を供給する電源と、
を備えることを特徴とするインプリント装置。
【請求項２】
前記電圧は、複数のパルス電圧を含む、
ことを特徴とする請求項１に記載のインプリント装置。
【請求項３】
前記電圧の波形は、矩形波、三角波、台形波、階段波および正弦波の少なくとも１つを含む、
ことを特徴とする請求項１に記載のインプリント装置。
【請求項４】
前記電圧は、正および負のいずれか一方の極性を有する、
ことを特徴とする請求項１乃至３のいずれか１項に記載のインプリント装置。
【請求項５】
前記電圧の極性は、前記基板と前記型との間に前記型の帯電によって形成される電界の方向と同一の方向の電界が前記基板周辺部材と前記型周辺部材との間に形成される極性である、
ことを特徴とする請求項４に記載のインプリント装置。
【請求項６】
前記電圧の絶対値の最大値は、前記型の帯電によって形成される電界の最大強度よりも強い電界が前記基板周辺部材と前記型周辺部材との間に形成される値である、
ことを特徴とする請求項５に記載のインプリント装置。
【請求項７】
前記電源は、前記基板周辺部材および前記型周辺部材の一方を接地し、前記基板周辺部材および前記型周辺部材の他方に前記電圧を供給する、
ことを特徴とする請求項１乃至６のいずれか１項に記載のインプリント装置。
【請求項８】
前記基板と前記型との間の空間からその空間外に向かう気流が形成されるように気体を供給する気体供給部を更に備える、
ことを特徴とする請求項１乃至７のいずれか１項に記載のインプリント装置。
【請求項９】
基板の上にインプリント材を供給する供給部を更に備え、
前記電源は、前記供給部によって前記基板の上にインプリント材が供給されている間は、前記電圧を前記基板周辺部材と前記型周辺部材との間に供給しない、
ことを特徴とする請求項１乃至８のいずれか１項に記載のインプリント装置。
【請求項１０】
前記基板周辺部材と前記型周辺部材との間に前記電源によって前記電圧が供給された状態で、前記基板の上のインプリント材に前記型を接触させ、該インプリント材を硬化させ、該インプリント材から前記型を引き離す動作がなされる、
ことを特徴とする請求項１乃至９のいずれか１項に記載のインプリント装置。
【請求項１１】
メンテナンスが終了した後かつインプリント処理が再開されるまでの間に、前記基板周辺部材と前記型周辺部材との間に前記電源によって前記電圧が供給される、
ことを特徴とする請求項１乃至１０のいずれか１項に記載のインプリント装置。
【請求項１２】
前記基板チャックおよび前記基板周辺部材を支持する基板支持部と、
前記型チャックおよび前記型周辺部材を支持する型支持部と、を更に備える、
ことを特徴とする請求項１乃至１１のいずれか１項に記載のインプリント装置。
【請求項１３】
基板の上のインプリント材に型を接触させて該インプリント材を硬化させることによって該基板の上にパターンを形成するインプリント方法であって、
前記基板を保持する基板チャックの周辺に配置された基板周辺部材と、前記型を保持する型チャックの周辺に配置された型周辺部材と、の間に交流成分を含む電圧を供給することを特徴とするインプリント方法。
【請求項１４】
前記交流成分を含む電圧は、前記基板上にインプリント材を供給していない間に供給することを特徴とする請求項１３に記載のインプリント方法。
【請求項１５】
メンテナンスが終了した後かつインプリント処理が再開されるまでの間に、前記基板周辺部材と前記型周辺部材との間に、前記交流成分を含む電圧を供給することを特徴とする請求項１３または１４に記載のインプリント方法。
【請求項１６】
物品製造方法であって、
請求項１乃至１２のいずれか１項に記載のインプリント装置を用いて基板の上にパターンを形成する工程と、
前記パターンが形成された基板を処理する工程と、
を含むことを特徴とする物品製造方法。
【手続補正２】
【補正対象書類名】明細書
【補正対象項目名】０００５
【補正方法】変更
【補正の内容】
【０００５】
本発明の1つの側面は、基板の上のインプリント材に型を接触させて該インプリント材を硬化させることによって該基板の上にパターンを形成するインプリント装置に係り、前記インプリント装置は、基板を保持する基板チャックと、前記基板チャックの周辺に配置された基板周辺部材と、型を保持する型チャックと、前記型チャックの周辺に配置された型周辺部材と、前記基板周辺部材と前記型周辺部材との間に交流成分を含む電圧を供給する電源と、備える。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
基板の上に２次元状に配列された複数の画素を有する撮像装置であって、
第１の開口部を有する第１の遮光部材を備えた第１の画素と、
第２の開口部を有する第２の遮光部材を備え、前記第１の画素に対して第１の方向に配され、前記第１の画素と共に位相差検出を行う第２の画素と、
第３の開口部を有する第３の遮光部材を備え、撮像を行うための第３の画素と、を有し、
前記第３の開口部は前記第３の画素の中央部に配されており、
前記第１の方向に直交する方向である第２の方向において、前記第３の開口部の長さは、前記第１の開口部の長さおよび前記第２の開口部の長さよりも小さく、
前記第１の方向における前記第３の開口部の幅は、前記第２の方向における前記第１の開口部の長さおよび前記第２の開口部の長さよりも小さいことを特徴とする撮像装置。
【請求項２】
前記第１の方向において、前記第１の開口部および前記第２の開口部の幅は、前記第３の開口部の幅よりも小さいことを特徴とする請求項１に記載の撮像装置。
【請求項３】
前記第１の方向において、前記第３の開口部の幅は、前記第１の開口部と前記第２の開口部の間の距離よりも小さいことを特徴とする請求項１または２に記載の撮像装置。
【請求項４】
前記第１の画素に設けられているマイクロレンズと、前記第２の画素に設けられているマイクロレンズは、別のマイクロレンズであることを特徴とする請求項１から３のいずれかに記載の撮像装置。
【請求項５】
前記第３の開口部の面積は、前記第１の光電変換部の面積と前記第２の光電変換部の面積の和よりも小さいことを特徴とする請求項１から４のいずれかに記載の撮像装置。
【請求項６】
前記第１の画素、前記第２の画素、前記第３の画素は、それぞれ複数の光電変換部を有することを特徴とする請求項１から５のいずれかに記載の撮像装置。
【請求項７】
前記第１の方向において、前記第１の開口部の幅および前記第２の開口部の幅は、前記光電変換部の幅よりも小さいことを特徴とする請求項６に記載の撮像装置。
【請求項８】
第１の方向に沿って複数のマイクロレンズが配されることによって構成されたマイクロレンズ群が、前記第１の方向に直交する第２の方向に沿って複数配されたマイクロレンズアレイと、
前記複数のマイクロレンズの各々に、平面視において重なるように配置された、複数の光電変換部と、
前記マイクロレンズと前記光電変換部との間に配された遮光部材と、を有する撮像装置であって、
前記マイクロレンズは、
第１の端部と、
前記第１の端部に対し、前記マイクロレンズの中心を挟んで前記第１の方向に配された第２の端部と、を有し、
前記遮光部材は複数の開口部を有し、前記複数の開口部は、
前記第１の端部に重なるように配置された第１の開口部と、
前記第２の端部に重なるように配置された第２の開口部と、
前記マイクロレンズの中心に重なるように配置された第３の開口部と、を有し、
前記第２の方向において、前記第３の開口部の長さは、前記第１の開口部および前記第２の開口部の長さよりも小さく、
前記第１の方向における前記第３の開口部の幅は、前記第２の方向における前記第１の開口部の長さおよび前記第２の開口部の長さよりも小さいことを特徴とする撮像装置。
【請求項９】
移動体であって、
請求項１から８のいずれかに記載の撮像装置と、
前記撮像装置からの信号に基づく視差画像から、対象物までの距離情報を取得する距離情報取得手段と、
前記距離情報に基づいて前記移動体を制御する制御手段と、を有することを特徴とする移動体。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
基板の上に２次元状に配列された複数の画素を有する撮像装置であって、
第１の画素の一方の端部に配されている第１の光電変換部と、
前記第１の光電変換部に対して第１の方向に対向し、前記第１の画素の他方の端部に配されている第２の光電変換部と、
第２の画素の中央部に配されている第３の光電変換部と、を有し
前記第１の方向に直交する方向である第２の方向において、前記第２の画素の長さに対する前記第３の光電変換部の長さの比率は、前記第１の画素の長さに対する前記第１の光電変換部の長さの比率および前記第２の光電変換部の長さの比率よりも小さいことを特徴とする撮像装置。
【請求項２】
前記第１の方向において、前記第１の光電変換部および前記第２の光電変換部の幅は、前記第３の光電変換部の幅よりも小さいことを特徴とする請求項１に記載の撮像装置。
【請求項３】
前記第１の画素に設けられているマイクロレンズと、前記第２の画素に設けられているマイクロレンズは、別のマイクロレンズであることを特徴とする請求項１または２に記載の撮像装置。
【請求項４】
前記第１の画素と前記第２の画素には共通のマイクロレンズが設けられていることを特徴とする請求項１または２に記載の撮像装置。
【請求項５】
前記第１の画素と前記第２の画素は同一の画素であることを特徴とする請求項４に記載の撮像装置。
【請求項６】
前記第１の画素は測距に用いる画素であり、前記第２の画素は撮像に用いる画素であることを特徴とする請求項１から５のいずれかに記載の撮像装置。
【請求項７】
前記第１の光電変換部と、前記第２の光電変換部と、前記第３の光電変換部は、第１導電型の半導体領域を有することを特徴とする請求項１から６のいずれかに記載の撮像装置。
【請求項８】
前記第３の光電変換部の面積は、前記第１の光電変換部の面積と前記第２の光電変換部の面積の和よりも小さいことを特徴とする請求項１から７のいずれかに記載の撮像装置。
【請求項９】
前記第２の方向において、前記第３の光電変換部の長さは、前記第１の光電変換部および前記第２の光電変換部の長さに対して、１／３以下であることを特徴とする請求項１から８のいずれかに記載の撮像装置。
【請求項１０】
前記第１の方向において、前記第１の光電変換部の幅および前記第２の光電変換部の幅は、前記第１の画素の幅に対して、１／４以下であることを特徴とする請求項１から９のいずれかに記載の撮像装置。
【請求項１１】
前記第１の光電変換部で生じる電荷を転送する第１の転送トランジスタのゲート電極と、
前記第２の光電変換部で発生する電荷を転送する第２の転送トランジスタのゲート電極と、
前記第３の光電変換部で発生する電荷を転送する第３の転送トランジスタのゲート電極と、を有し、
前記第１の方向において、前記第３の転送トランジスタのゲート電極は、前記第１の転送トランジスタのゲート電極と前記第２の転送トランジスタのゲート電極の間に配され、前記第２の方向において、前記第３の光電変換部は、前記第３の転送トランジスタのゲート電極と前記第１の転送トランジスタのゲート電極との間に配されていることを特徴とする請求項４または５に記載の撮像装置。
【請求項１２】
移動体であって、
請求項１から１１のいずれかに記載の撮像装置と、
前記撮像装置からの信号に基づく視差画像から、対象物までの距離情報を取得する距離情報取得手段と、
前記距離情報に基づいて前記移動体を制御する制御手段と、を有することを特徴とする移動体。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
媒体に印刷する印刷部と、
前記印刷部の印刷に関連する印刷関連部材を収容する収容体が挿入される挿入口と、
前記挿入口を開閉自在に覆う開閉カバーと、
前記開閉カバーをロックするロック機構と、
を備え、
前記ロック機構は、
前記開閉カバー及び前記開閉カバーの周囲の外装部品のうちの一方に設けられた挿入部と、
他方に設けられるとともに前記挿入部に挿入されて前記開閉カバーの開放動作を規制するロック位置と前記挿入部から離れて前記開閉カバーの開放動作を許容するアンロック位置との間で変位する変位部材と、を備えることを特徴とする印刷装置。
【請求項２】
前記開閉カバーの開放状態において、前記変位部材の前記ロック位置への変位動作を規制する変位規制部を備えることを特徴とする請求項１に記載の印刷装置。
【請求項３】
前記変位部材は、前記開閉カバーの開閉方向と交差する方向に変位することを特徴とする請求項１または請求項２に記載の印刷装置。
【請求項４】
前記変位部材は、前記開閉カバーの周囲の外装部品における角部において、当該角部のカーブに沿って変位することを特徴とする請求項１〜請求項３のうちいずれか一項に記載の印刷装置。
【請求項５】
前記変位部材は、前記開閉カバーの周囲の外装部品に設けられていることを特徴とする請求項１〜請求項４のうちいずれか一項に記載の印刷装置。
【請求項６】
前記変位部材は、前記変位部材を変位動作させるために操作される操作部を有し、
前記他方には、前記操作部の移動を前記変位部材が前記ロック位置に変位した位置で規制する第１移動規制部と、前記操作部の移動を前記変位部材が前記アンロック位置に変位した位置で規制する第２移動規制部とが設けられていることを特徴とする請求項１〜請求項５のうちいずれか一項に記載の印刷装置。
【請求項７】
前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容されることを特徴とする請求項１〜請求項６のうちいずれか一項に記載の印刷装置。
【請求項８】
前記取付部は、前記規制部材を挿通可能な互いに連通した一対の開口であることを特徴とする請求項７に記載の印刷装置。
【請求項９】
媒体に印刷する印刷部と、
前記印刷部の印刷に関連する印刷関連部材を収容し、装置本体に着脱可能に装着される収容体と、
前記収容体の引き出し動作を規制するロック機構と、
を備え、
前記ロック機構は、
前記収容体及び前記収容体の周囲の外装部品のうちの一方に設けられた挿入部と、
他方に設けられるとともに前記挿入部に挿入されて前記収容体の引き出し動作を規制するロック位置と前記挿入部から離れて前記収容体の引き出し動作を許容するアンロック位置との間で変位する変位部材と、を有し、
前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容されることを特徴とする印刷装置。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
媒体に印刷する印刷部と、
前記印刷部の印刷に関連する印刷関連部材を収容する容器と、
開口を有し、前記開口から前記容器が挿入されて前記容器が着脱可能に装着される装着部と、
を備え、
前記装着部は、前記開口から前記容器が挿入される際に前記容器を前記開口に導く装着部側傾斜面を有する案内部を有していることを特徴とする印刷装置。
【請求項２】
前記案内部は、前記容器を前記開口に導くように前記印刷装置の幅方向において当該開口に対応する位置に配置されることを特徴とする請求項１に記載の印刷装置。
【請求項３】
前記案内部は、前記開口の前面側であり、前記開口よりも低い位置に設けられ、前記装着部側傾斜面は前記開口に向かうほど高くなるように傾斜していることを特徴とする請求項１または請求項２に記載の印刷装置。
【請求項４】
前記案内部は、前記装着部側傾斜面を有した装着部側リブを前記開口に対して少なくとも１つ有していることを特徴とする請求項１〜請求項３のうちいずれか一項に記載の印刷装置。
【請求項５】
前記容器には、前記装着部に対する誤装着を抑制する誤装着抑制凸部が設けられ、
前記装着部には、前記容器が装着される際に、前記誤装着抑制凸部を収容する誤装着抑制凹部が設けられ、
前記装着部側リブは、前記容器を前記装着部に装着する装着方向において前記誤装着抑制凹部と対応しない位置に配置されていることを特徴とする請求項４に記載の印刷装置。
【請求項６】
前記装着部は、複数の単位装着部を備え、
複数の前記単位装着部にそれぞれ設けられる前記誤装着抑制凹部の位置は、互いに異なることを特徴とする請求項５に記載の印刷装置。
【請求項７】
前記装着部を開閉自在に覆う開閉カバーを備え、
前記開閉カバーは、開放状態において前記容器を前記装着部側傾斜面に導くカバー側傾斜面を有していることを特徴とする請求項２〜請求項６のうちいずれか一項に記載の印刷装置。
【請求項８】
前記装着部を開閉自在に覆う開閉カバーを備え、
前記開閉カバーは、開放状態において前記容器を前記装着部側傾斜面に導くカバー側傾斜面を有したカバー側リブを前記開口に対して少なくとも１つ有し、
前記装着部側リブと前記カバー側リブとは、前記印刷装置の幅方向において同じ位置に配置され、前記装着部側リブと前記カバー側リブとで前記容器を前記開口に案内することを特徴とする請求項４に記載の印刷装置。
【請求項９】
前記開閉カバーは、開放状態において、前記容器を前記装着部に装着する装着方向側の端部が前記装着部の一部と鉛直方向で重なるように配置されることを特徴とする請求項８に記載の印刷装置。
【請求項１０】
前記カバー側リブは、前記開閉カバーの開放状態において、前記開閉カバーにおける鉛直方向で前記装着部の一部と重なる領域よりも、前記装着方向と反対の方向側に位置していることを特徴とする請求項９に記載の印刷装置。
【請求項１１】
前記開閉カバーは、回動軸を中心として回動されることによって開閉されることを特徴とする請求項７〜請求項１０のうちいずれか一項に記載の印刷装置。
【請求項１２】
前記装着部を開閉自在に覆う開閉カバーを備え、
前記開閉カバーは、開放状態において前記容器の前記装着方向とは反対の端部側に当該反対側の端部に向かって高くなる第２のカバー側傾斜面を有していることを特徴とする請求項１に記載の印刷装置。
【請求項１３】
前記印刷部は、前記媒体に液体を吐出する液体吐出ヘッドであり、
前記容器は、前記液体吐出ヘッドに供給される前記液体を保持する液体収容体を着脱可能に収容する収容部を有した液体収容容器であることを特徴とする請求項１〜請求項１２のうちいずれか一項に記載の印刷装置。
【請求項１４】
媒体に印刷する印刷部と、
前記印刷部の印刷に関連する印刷関連部材を収容する容器と、
開口を有し、前記開口から前記容器が挿入されて前記容器が着脱可能に装着される装着部と、
前記装着部を開閉自在に覆う開閉カバーと、
を備え、
前記装着部及び前記開閉カバーのうちの少なくとも一方は、前記開口から前記容器が挿入される際に前記容器を前記開口に導く傾斜面を有する案内部を有していることを特徴とする印刷装置。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
内部に熱変色性インキが収容されたインキ収容筒、及び前記インキ収容筒の前端部に設けられた熱変色性インキが吐出可能な筆記先端部を有する筆記体と、
前記筆記体を前後方向に移動可能に収容する樹脂製の軸筒と、
前記軸筒の後端部に該軸筒の軸心に対し径方向に傾動可能に設けられた、前記軸筒の内径よりも小さな外形を有する樹脂製のノック体を備え、前記ノック体が前記軸筒の前端開口部方向に押圧されたとき、前記筆記先端部を前記軸筒の前端開口部から突出した状態にし、再度、前記ノック体が前方に押圧されたとき、前記筆記先端部の突出状態を解除して、前記筆記先端部を前記軸筒の前端開口部より軸筒内に没入した状態にする出没機構と、
前記ノック体の後端部に設けられ、熱変色性インキの筆跡を摩擦し、その際に生じる摩擦熱で熱変色性インキの筆跡を熱変色可能な摩擦部と、
を備え、
前記摩擦部が紙面に接した状態で摩擦操作が行われるとき、前記ノック体が傾動して前記ノック体の径方向に移動することにより、前記ノック体の外側面と該外側面と対向する前記軸筒の内側面とが接触し、
前記ノック体の外側面及び対向する前記軸筒の内側面の少なくとも一方に凹凸面が設けられていることにより、前記軸筒に対する前記ノック体の前方移動が阻止され、
前記ノック体の外側面及び対向する前記軸筒の内側面の一方に前記凹凸面が設けられているとき、前記凹凸面を有する側の面の硬度が前記凹凸面を有しない側の面の硬度より高いことを特徴とする熱変色性筆記具。
【請求項２】
内部に熱変色性インキが収容されたインキ収容筒、及び前記インキ収容筒の前端部に設けられた熱変色性インキが吐出可能な筆記先端部を有する筆記体と、
前記筆記体を前後方向に移動可能に収容する樹脂製の軸筒と、
前記軸筒の後端部に該軸筒の軸心に対し径方向に傾動可能に設けられた、前記軸筒の内径よりも小さな外形を有する樹脂製のノック体を備え、前記ノック体が前記軸筒の前端開口部方向に押圧されたとき、前記筆記先端部を前記軸筒の前端開口部から突出した状態にし、再度、前記ノック体が前方に押圧されたとき、前記筆記先端部の突出状態を解除して、前記筆記先端部を前記軸筒の前端開口部より軸筒内に没入した状態にする出没機構と、
前記ノック体の後端部に設けられ、熱変色性インキの筆跡を摩擦し、その際に生じる摩擦熱で熱変色性インキの筆跡を熱変色可能な摩擦部と、
を備え、
前記摩擦部が紙面に接した状態で摩擦操作が行われるとき、前記ノック体が傾動して前記ノック体の径方向に移動することにより、前記ノック体の外側面と該外側面と対向する前記軸筒の内側面とが接触し、
前記ノック体の外側面及び対向する前記軸筒の内側面の少なくとも一方に凹凸面が設けられていることにより、前記軸筒に対する前記ノック体の前方移動が阻止され、
前記凹凸面の表面粗さが算術平均粗さＲａ３．２〜２５であることを特徴とする熱変色性筆記具。
【請求項３】
前記ノック体の外側面及び対向する前記軸筒の内側面の一方に前記凹凸面が設けられているとき、前記凹凸面を有する側の面の硬度が前記凹凸面を有しない側の面の硬度より高いことを特徴とする請求項２に記載の熱変色性筆記具。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
車両（５０）に設けられる熱交換ユニット（１０）の制御を行う制御モジュール（１００）であって、
前記熱交換ユニットは、
空調用の冷媒と空気との熱交換を行うことにより、内部で冷媒を蒸発させる熱交換器（７４０）と、
前記車両のフロントグリル（ＧＲ）から流入し前記熱交換器を通過する空気、の流量を調整する空気制御装置（２０）と、を備えるものであり、
前記空気制御装置の動作を制御する制御部（１３０）と、
前記熱交換器から排出される冷媒の過熱度を取得する取得部（１２５）と、を備え、
前記制御部は、前記取得部で取得される前記過熱度に基づいて前記空気制御装置の動作を制御し、
前記制御部は、
前記取得部で取得される前記過熱度が目標値に一致するように前記空気制御装置の動作を制御し、
前記制御部は、
前記空気制御装置の動作を制御する第１制御と、
前記熱交換器を通る冷媒の流れを調整するための装置である冷媒制御装置（７３０）、の動作を制御する第２制御と、を行うことにより、
前記取得部で取得される前記過熱度を前記目標値に一致させ、
前記制御部は、
前記取得部で取得される前記過熱度と前記目標値との差、の絶対値である偏差量を算出し、
前記偏差量が所定値よりも大きいときには前記第１制御を行い、
前記偏差量が前記所定値よりも小さいときには前記第２制御を行う制御モジュール。
【請求項２】
前記空気制御装置は、その開度を変化させることによって通過する空気の流量を調整するシャッタ装置である、請求項１に記載の制御モジュール。
【請求項３】
車両（５０）に設けられる熱交換ユニット（１０）の制御を行う制御モジュール（１００）であって、
前記熱交換ユニットは、
空調用の冷媒と空気との熱交換を行うことにより、内部で冷媒を蒸発させる熱交換器（７４０）と、
前記車両のフロントグリル（ＧＲ）から流入し前記熱交換器を通過する空気、の流量を調整する空気制御装置（２０）と、を備えるものであり、
前記空気制御装置の動作を制御する制御部（１３０）と、
前記熱交換器から排出される冷媒の過熱度を取得する取得部（１２５）と、を備え、
前記制御部は、前記取得部で取得される前記過熱度に基づいて前記空気制御装置の動作を制御し、
前記空気制御装置は、その開度を変化させることによって通過する空気の流量を調整するシャッタ装置であり、
前記制御部は、
前記熱交換器に空気を送り込む電動ファン（４０）の回転数に応じて、前記シャッタ装置の開度を変化させる制御モジュール。
【請求項４】
前記制御部は、前記回転数が大きくなるほど前記シャッタ装置の開度を小さくする、請求項３に記載の制御モジュール。
【請求項５】
車両（５０）に設けられる熱交換ユニット（１０）の制御を行う制御モジュール（１００）であって、
前記熱交換ユニットは、
空調用の冷媒と空気との熱交換を行うことにより、内部で冷媒を蒸発させる熱交換器（７４０）と、
前記車両のフロントグリル（ＧＲ）から流入し前記熱交換器を通過する空気、の流量を調整する空気制御装置（２０）と、を備えるものであり、
前記空気制御装置の動作を制御する制御部（１３０）と、
前記熱交換器から排出される冷媒の過熱度を取得する取得部（１２５）と、を備え、
前記制御部は、前記取得部で取得される前記過熱度に基づいて前記空気制御装置の動作を制御し、
前記空気制御装置は、その開度を変化させることによって通過する空気の流量を調整するシャッタ装置であり、
前記制御部は、
前記車両の走行速度に応じて前記シャッタ装置の開度を変化させる制御モジュール。
【請求項６】
前記制御部は、
前記車両の走行速度が大きくなるほど前記シャッタ装置の開度を小さくする、請求項５に記載の制御モジュール。
【手続補正２】
【補正対象書類名】明細書
【補正対象項目名】０００７
【補正方法】変更
【補正の内容】
【０００７】
本開示に係る制御モジュールは、車両（５０）に設けられる熱交換ユニット（１０）の制御を行う制御モジュール（１００）である。上記の熱交換ユニットは、空調用の冷媒と空気との熱交換を行うことにより、内部で冷媒を蒸発させる熱交換器（７４０）と、車両のフロントグリル（ＧＲ）から流入し熱交換器を通過する空気、の流量を調整する空気制御装置（２０）と、を備えるものである。この制御モジュールは、空気制御装置の動作を制御する制御部（１３０）と、熱交換器から排出される冷媒の過熱度を取得する取得部（１２５）と、を備える。制御部は、取得部で取得される過熱度に基づいて空気制御装置の動作を制御する。制御部は、取得部で取得される過熱度が目標値に一致するように空気制御装置の動作を制御する。制御部は、空気制御装置の動作を制御する第１制御と、熱交換器を通る冷媒の流れを調整するための装置である冷媒制御装置（７３０）、の動作を制御する第２制御と、を行うことにより、取得部で取得される過熱度を目標値に一致させる。制御部は、取得部で取得される過熱度と目標値との差、の絶対値である偏差量を算出し、偏差量が所定値よりも大きいときには第１制御を行い、偏差量が所定値よりも小さいときには第２制御を行う。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
複数の選択機会の各々で、複数の選択肢から選択された選択肢に基づいて、ゲーム上の効果を発生させる発生手段と、
１以上の選択肢を第１特別状態として設定する第１設定手段と、
第１選択機会で前記第１特別状態の選択肢が選択された場合に、前記第１選択機会よりも後の第２選択機会における前記複数の選択肢の少なくとも１つを、第２特別状態として設定する第２設定手段と、
を含み、
前記発生手段は、前記第２選択機会で前記第２特別状態の選択肢が選択された場合に、当該第２特別状態に応じた前記効果を発生させる、
ことを特徴とするゲーム制御装置。
【請求項２】
ユーザが所有する複数のオブジェクトのうちの少なくとも１つを、前記効果を発生させるためのイベントの発生用として設定するオブジェクト設定手段と、
前記イベントの発生用として設定されたオブジェクトに基づいて、前記イベントを発生させるイベント発生手段と、
を更に含み、
前記第１設定手段は、前記イベントの発生用として設定されたオブジェクトの少なくとも１つに基づいて、前記１以上の選択肢を前記第１特別状態として設定する、
ことを特徴とする請求項１に記載のゲーム制御装置。
【請求項３】
前記第１設定手段は、前記イベントの発生用として設定されたオブジェクトの中に特定種類のオブジェクトが含まれる場合に、前記１以上の選択肢を前記第１特別状態として設定する、
ことを特徴とする請求項２に記載のゲーム制御装置。
【請求項４】
前記複数の選択肢は、オブジェクトが関連付けられた選択肢を含み、
前記発生手段は、前記オブジェクトが関連付けられた選択肢が選択された場合は、当該選択肢と当該オブジェクトとに基づいて、前記効果を発生させる、
ことを特徴とする請求項１〜３の何れかに記載のゲーム制御装置。
【請求項５】
前記オブジェクトが選択肢に関連付けられているか、を識別可能な表示態様で表示させる表示制御手段を更に含む、
ことを特徴とする請求項４に記載のゲーム制御装置。
【請求項６】
前記第１設定手段は、前記複数の選択機会の各々が訪れるたびに、前記複数の選択肢の中で、前記第１特別状態にする選択肢を決定する、
ことを特徴とする請求項１〜５の何れかに記載のゲーム制御装置。
【請求項７】
ゲームの実行中に、ユーザにオブジェクトを獲得させる獲得手段を更に含み、
前記第１設定手段は、前記ユーザが前記オブジェクトを獲得した場合に、前記１以上の選択肢を前記第１特別状態として設定する、
ことを特徴とする請求項１〜６の何れかに記載のゲーム制御装置。
【請求項８】
前記第２設定手段は、前記第１特別状態に対応する前記第２特別状態を設定し、
前記ゲームの実行中に、所定の条件を満たすことで、前記第１特別状態に対応する前記第２特別状態が変化する、
ことを特徴とする請求項１〜７の何れかに記載のゲーム制御装置。
【請求項９】
前記第２設定手段は、
前記第２選択機会よりも後の第３選択機会における前記複数の選択肢の少なくとも１つを前記第２特別状態に設定し、
前記第２選択機会で前記第２特別状態の選択肢が選択された場合に、前記第３選択機会における前記複数の選択肢の少なくとも１つを、新たな前記第２特別状態に設定し、
前記発生手段は、前記第３選択機会で選択された選択肢が前記第２特別状態及び前記新たな第２特別状態であった場合は、当該選択肢と当該第２特別状態と当該新たな第２特別状態とに基づいて、前記効果を発生させる、
ことを特徴とする請求項１〜８の何れかに記載のゲーム制御装置。
【請求項１０】
前記第２設定手段は、前記第２選択機会よりも後の第３選択機会における前記複数の選択肢の少なくとも１つを前記第２特別状態に設定し、
前記発生手段は、前記第３選択機会で前記第２特別状態の選択肢が選択された場合に、当該選択肢と当該第２特別状態とに基づいて、前記効果を発生させ、
前記第３選択機会までに前記第２特別状態の選択肢が選択されなかった場合は、前記第２特別状態を解除する解除手段、
を更に含むことを特徴とする請求項１〜９の何れかに記載のゲーム制御装置。
【請求項１１】
前記第２設定手段は、前記第２特別状態の選択肢が前記第２選択機会で選択されなかった場合に、前記第２選択機会以降の選択機会が訪れるたびに、前記第２特別状態にする選択肢を決定する、
ことを特徴とする請求項１〜１０の何れかに記載のゲーム制御装置。
【請求項１２】
前記第２設定手段は、
前記第１選択機会で特定種類の前記第１特別状態の選択肢が選択された場合は、当該選択肢を前記第２特別状態にして、前記第２選択機会以降の選択機会が訪れても、前記第２特別状態にする選択肢を変えず、
前記第１選択機会で他の種類の前記第１特別状態の選択肢が選択された場合は、前記第２選択機会以降の選択機会が訪れるたびに、前記第２特別状態にする選択肢を可変とする、
ことを特徴とする請求項１１に記載のゲーム制御装置。
【請求項１３】
前記複数の選択機会の各々で前記第１特別状態の選択肢が選択された場合に、所定の効果を発生させるための効果発生用パラメータを変化させる効果発生用パラメータ変化手段と、
前記効果発生用パラメータに基づいて、前記所定の効果を発生させる効果発生手段と、
を更に含むことを特徴とする請求項１〜１２の何れかに記載のゲーム制御装置。
【請求項１４】
前記効果は、育成対象オブジェクトを育成するために用いられるパラメータの変化であり、
前記複数の選択肢の各々は、前記育成対象オブジェクトの育成方法を示す選択肢である、
ことを特徴とする請求項１〜１３の何れかに記載のゲーム制御装置。
【請求項１５】
複数の選択機会の各々で、複数の選択肢から選択された選択肢に基づいて、ゲーム上の効果を発生させる発生手段と、
１以上の選択肢を第１特別状態として設定する第１設定手段と、
第１選択機会で前記第１特別状態の選択肢が選択された場合に、前記第１選択機会よりも後の第２選択機会における前記複数の選択肢の少なくとも１つを、第２特別状態として設定する第２設定手段と、
を含み、
前記発生手段は、前記第２選択機会で前記第２特別状態の選択肢が選択された場合に、当該第２特別状態に応じた前記効果を発生させる、
ことを特徴とするゲームシステム。
【請求項１６】
請求項１〜１４の何れかに記載のゲーム制御装置又は請求項１５に記載のゲームシステムとしてコンピュータを機能させるためのプログラム。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
遊技島に設置される外枠に開閉自在に軸支されるとともに遊技盤が装着され得る前面枠と、遊技の進行を制御する遊技制御手段と、を備える遊技機であって、
前記遊技盤は、
検出面から所定距離内に設定される検出領域における異常な磁気の発生を検出する異常磁気検出手段
を備え、
前記異常磁気検出手段は、
電源投入時に外部からの要求信号が入力されたか否かにかかわらず当該異常磁気検出手段の周囲環境における磁気状態を基準に設定可能な第１の基準設定制御手段と、
前記外部からの要求信号が入力されたことに基づいて当該異常磁気検出手段の周囲環境における磁気状態を基準に設定可能な第２の基準設定制御手段と、
当該異常磁気検出手段の検出面から前方側の検出領域の大きさを設定可能な検出領域設定制御手段と、
を少なくとも有し、
前記異常磁気検出手段の検出面から前方側の検出領域の大きさは、予め定められた大きさに対して所定数倍となる大きさに前記検出領域設定制御手段により設定可能であることで、前記前面枠が前記外枠へ閉鎖された状態において当該異常磁気検出手段の検出面から前方側の検出領域に前記遊技盤に設けられた複数の遊技球入球部を含む大きさにできる一方、当該異常磁気検出手段の検出面から後方側の検出領域の大きさが、前記予め定められた大きさに固定されていることにより当該予め定められた大きさの領域を除く後方側の領域に電気的駆動源を配置することができることを特徴とする遊技機。
【手続補正２】
【補正対象書類名】明細書
【補正対象項目名】０００７
【補正方法】変更
【補正の内容】
【０００７】
（解決手段１）
遊技島に設置される外枠に開閉自在に軸支されるとともに遊技盤が装着され得る前面枠と、遊技の進行を制御する遊技制御手段と、を備える遊技機であって、前記遊技盤は、検出面から所定距離内に設定される検出領域における異常な磁気の発生を検出する異常磁気検出手段を備え、前記異常磁気検出手段は、電源投入時に外部からの要求信号が入力されたか否かにかかわらず当該異常磁気検出手段の周囲環境における磁気状態を基準に設定可能な第１の基準設定制御手段と、前記外部からの要求信号が入力されたことに基づいて当該異常磁気検出手段の周囲環境における磁気状態を基準に設定可能な第２の基準設定制御手段と、当該異常磁気検出手段の検出面から前方側の検出領域の大きさを設定可能な検出領域設定制御手段と、を少なくとも有し、前記異常磁気検出手段の検出面から前方側の検出領域の大きさは、予め定められた大きさに対して所定数倍となる大きさに前記検出領域設定制御手段により設定可能であることで、前記前面枠が前記外枠へ閉鎖された状態において当該異常磁気検出手段の検出面から前方側の検出領域に前記遊技盤に設けられた複数の遊技球入球部を含む大きさにできる一方、当該異常磁気検出手段の検出面から後方側の検出領域の大きさが、前記予め定められた大きさに固定されていることにより当該予め定められた大きさの領域を除く後方側の領域に電気的駆動源を配置することができることを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
遊技島に設置される外枠に開閉自在に軸支されるとともに遊技盤が装着され得る前面枠と、遊技の進行を制御する遊技制御手段と、を備える遊技機であって、
前記遊技盤は、
検出面から所定距離内に設定される検出領域における異常な磁気の発生を検出する異常磁気検出手段
を備え、
前記異常磁気検出手段は、
電源投入時に外部からの要求信号が入力されたか否かにかかわらず当該異常磁気検出手段の周囲環境における磁気状態を基準に設定可能な第１の基準設定制御手段と、
前記外部からの要求信号が入力されたことに基づいて当該異常磁気検出手段の周囲環境における磁気状態を基準に設定可能な第２の基準設定制御手段と、
当該異常磁気検出手段の検出面から前方側の検出領域の大きさを設定可能な検出領域設定制御手段と、
を少なくとも有し、
前記異常磁気検出手段の検出面からの検出領域は、前記遊技盤に設けられた遊技球入球部と、該遊技球入球部に入球しなかった遊技球を当該遊技盤から排出するための排出部と、を含むことを特徴とする遊技機。
【手続補正２】
【補正対象書類名】明細書
【補正対象項目名】０００７
【補正方法】変更
【補正の内容】
【０００７】
（解決手段１）
遊技島に設置される外枠に開閉自在に軸支されるとともに遊技盤が装着され得る前面枠と、遊技の進行を制御する遊技制御手段と、を備える遊技機であって、前記遊技盤は、検出面から所定距離内に設定される検出領域における異常な磁気の発生を検出する異常磁気検出手段を備え、前記異常磁気検出手段は、電源投入時に外部からの要求信号が入力されたか否かにかかわらず当該異常磁気検出手段の周囲環境における磁気状態を基準に設定可能な第１の基準設定制御手段と、前記外部からの要求信号が入力されたことに基づいて当該異常磁気検出手段の周囲環境における磁気状態を基準に設定可能な第２の基準設定制御手段と、当該異常磁気検出手段の検出面から前方側の検出領域の大きさを設定可能な検出領域設定制御手段と、を少なくとも有し、前記異常磁気検出手段の検出面からの検出領域は、前記遊技盤に設けられた遊技球入球部と、該遊技球入球部に入球しなかった遊技球を当該遊技盤から排出するための排出部と、を含むことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】令和1年6月21日(2019.6.21)
【手続補正１】
【補正対象書類名】明細書
【補正対象項目名】０００７
【補正方法】変更
【補正の内容】
【０００７】
１つの態様では、印刷装置は、長尺状の被印刷媒体を該被印刷媒体の長さ方向に搬送する搬送手段と、前記被印刷媒体に印刷を行う印刷手段と、前記被印刷媒体を切断する切断手段と、前記切断手段により前記被印刷媒体を切断させることにより、前記印刷手段による前記印刷が行われた印刷物本体を貼り付け領域に貼り付ける際に、前記貼り付け領域に対する前記印刷物本体の貼り付け位置決めに使用することができる少なくとも１つの貼り付け位置決め部が形成されるように制御する制御手段と、を備える。
【手続補正２】
【補正対象書類名】明細書
【補正対象項目名】０００８
【補正方法】変更
【補正の内容】
【０００８】
他の１つの態様では、印刷方法は、長尺状の被印刷媒体を該被印刷媒体の長さ方向に搬送する工程と、前記被印刷媒体に印刷を行う工程と、前記被印刷媒体を切断することにより、前記印刷が行われた印刷物本体を貼り付け領域に貼り付ける際に前記貼り付け領域に対する前記印刷物本体の貼り付け位置決めに使用することができる少なくとも１つの貼り付け位置決め部を形成する工程と、を含む。
【手続補正３】
【補正対象書類名】明細書
【補正対象項目名】０００９
【補正方法】変更
【補正の内容】
【０００９】
他の１つの態様では、プログラムは、印刷装置を制御するコンピュータにより実行されるプログラムであって、前記印刷装置は、長尺状の被印刷媒体を該被印刷媒体の長さ方向に搬送する搬送手段と、前記被印刷媒体に印刷を行う印刷手段と、前記被印刷媒体を切断する切断手段と、を備え、前記コンピュータに、前記切断手段により前記被印刷媒体を切断させることにより、前記印刷手段による前記印刷が行われた印刷物本体を貼り付け領域に貼り付ける際に前記貼り付け領域に対する前記印刷物本体の貼り付け位置決めに使用することができる少なくとも１つの貼り付け位置決め部が形成されるように制御させる機能を実現させる。
【手続補正４】
【補正対象書類名】特許請求の範囲
【補正対象項目名】全文
【補正方法】変更
【補正の内容】
【特許請求の範囲】
【請求項１】
長尺状の被印刷媒体を該被印刷媒体の長さ方向に搬送する搬送手段と、
前記被印刷媒体に印刷を行う印刷手段と、
前記被印刷媒体を切断する切断手段と、
前記切断手段により前記被印刷媒体を切断させることにより、前記印刷手段による前記印刷が行われた印刷物本体を貼り付け領域に貼り付ける際に、前記貼り付け領域に対する前記印刷物本体の貼り付け位置決めに使用することができる少なくとも１つの貼り付け位置決め部が形成されるように制御する制御手段と、
を備えることを特徴とする印刷装置。
【請求項２】
前記被印刷媒体は、接着層を有する基材と前記接着層を覆うように剥離可能に前記基材に貼り付けられた剥離紙とを有し、
前記切断手段は、前記被印刷媒体の前記基材及び前記剥離紙のうちの前記基材のみを切断するハーフカットを行うハーフカット手段を有し、
前記制御手段は、前記ハーフカットを行うことにより前記少なくとも１つの貼り付け位置決め部が形成されるように、前記ハーフカット手段を制御する、
ことを特徴とする請求項１記載の印刷装置。
【請求項３】
前記貼り付け領域の、前記印刷物本体の前記長さ方向及び前記長さ方向に直交する幅方向の少なくとも一方に沿った寸法が入力される入力手段を更に備え、
前記制御手段は、前記貼り付け領域の前記寸法と前記印刷物本体の寸法とに基づき、前記少なくとも１つの貼り付け位置決め部の前記長さ方向に沿った長さを算出する、
ことを特徴とする請求項１又は２記載の印刷装置。
【請求項４】
前記貼り付け領域は、前記印刷物本体の前記長さ方向に沿った方向の第１の寸法と、前記印刷物本体の前記幅方向に沿った方向の第２の寸法と、を有し、
前記入力手段には、前記貼り付け領域の前記第１の寸法及び前記第２の寸法が入力され、
前記制御手段は、前記貼り付け領域の前記第１の寸法と前記印刷物本体の前記長さ方向における寸法とに基づき、前記少なくとも１つの貼り付け位置決め部の前記長さ方向の長さを算出するとともに、前記貼り付け領域の前記第２の寸法と前記印刷物本体の前記幅方向における寸法とに基づき、前記少なくとも１つの前記貼り付け位置決め部の前記幅方向の長さを算出する、
ことを特徴とする請求項３記載の印刷装置。
【請求項５】
前記制御手段は、
２つの前記貼り付け位置決め部が前記印刷物により形成されるように前記搬送手段、前記印刷手段、及び前記切断手段を制御し、前記２つの貼り付け位置決め部は、それぞれ、前記印刷物本体の前記貼り付け領域の前記長さ方向に対する貼り付け位置決めと前記印刷物本体の前記貼り付け領域の前記幅方向に対する貼り付け位置決めとに用いられるものであり、
前記印刷物の１つ前に作成される他の印刷物を前記切断手段が切り離す前に、前記被印刷媒体のうち前記２つの貼り付け位置決め部が形成される予定の領域に、前記２つの貼り付け位置決め部のそれぞれが前記長さ方向に対する貼り付け位置決め及び前記幅方向に対する貼り付け位置決めのどちらに用いられるものであるかの情報を印刷するように、前記印刷手段の制御を行う、
ことを特徴とする請求項４記載の印刷装置。
【請求項６】
前記制御手段は、前記貼り付け位置決め部を予め定められた長さで複数形成するように制御することを特徴とする請求項１又は２記載の印刷装置。
【請求項７】
前記制御手段は、前記印刷物の１つ前に作成される他の印刷物を前記切断手段が切り離す前に、前記印刷物の前記複数の貼り付け位置決め部が形成される予定の複数の箇所のそれぞれに前記印刷手段により当該貼り付け位置決め部の寸法を印刷するように、前記印刷手段の制御を行うことを特徴とする請求項６記載の印刷装置。
【請求項８】
前記制御手段は、前記印刷物の１つ前に作成される他の印刷物を前記切断手段が切り離す前に、前記印刷物のうち前記印刷物本体を除く部分に、物差しとして用いられるようにするための目盛りを前記印刷手段により印刷することで前記貼り付け位置決め部を形成するように、前記印刷手段の制御を行うことを特徴とする請求項１又は２記載の印刷装置。
【請求項９】
長尺状の被印刷媒体を該被印刷媒体の長さ方向に搬送する工程と、
前記被印刷媒体に印刷を行う工程と、
前記被印刷媒体を切断することにより、前記印刷が行われた印刷物本体を貼り付け領域に貼り付ける際に前記貼り付け領域に対する前記印刷物本体の貼り付け位置決めに使用することができる少なくとも１つの貼り付け位置決め部を形成する工程と、
を含むことを特徴とする印刷方法。
【請求項１０】
印刷装置を制御するコンピュータにより実行されるプログラムであって、
前記印刷装置は、長尺状の被印刷媒体を該被印刷媒体の長さ方向に搬送する搬送手段と、前記被印刷媒体に印刷を行う印刷手段と、前記被印刷媒体を切断する切断手段と、を備え、
前記コンピュータに、
前記切断手段により前記被印刷媒体を切断させることにより、前記印刷手段による前記印刷が行われた印刷物本体を貼り付け領域に貼り付ける際に前記貼り付け領域に対する前記印刷物本体の貼り付け位置決めに使用することができる少なくとも１つの貼り付け位置決め部が形成されるように制御させる機能を実現させる、
ことを特徴とするプログラム。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
第１部材と、
前記第１部材に配置されている光配線と、
前記第１部材に配置されている電力線と、
前記第１部材に配置されている光電変換部と、
前記第１部材に配置されている駆動部と、を有し、
前記光配線は、前記光電変換部と光通信可能に接続され、
前記電力線は、前記駆動部と前記光電変換部とに導電可能に接続され、
前記電力線を流れる電流が、前記駆動部と前記光電変換部とに分配されることを特徴とするロボット。
【請求項２】
前記駆動部はエンコーダーである請求項１に記載のロボット。
【請求項３】
前記電力線は、前記第１部材の内側で分岐して、前記エンコーダーと前記光電変換部とに接続されている請求項２に記載のロボット。
【請求項４】
前記エンコーダーから出力される電気信号が前記光電変換部によって光信号に変換されて前記光配線によって伝搬される請求項２または３に記載のロボット。
【請求項５】
前記駆動部はモーターである請求項１に記載のロボット。
【請求項６】
前記第１部材に配置されているエンコーダーを有し、
前記エンコーダーから出力される電気信号が前記光電変換部によって光信号に変換されて前記光配線によって伝搬される請求項５に記載のロボット。
【請求項７】
第１部材と、
前記第１部材に配置されている光配線と、
前記第１部材に配置されている電力線と、
前記第１部材に配置されている光電変換部と
前記第１部材に配置されている電子部品と、を有し、
前記光配線は、前記光電変換部と光通信可能に接続され、
前記電力線は、前記電子部品と前記光電変換部とに導電可能に接続され、
前記電力線を流れる電流が、前記電子部品と前記光電変換部とに分配されることを特徴とするロボット。
【請求項８】
第２部材と、
前記第２部材に対して前記第１部材を回動可能に連結している回動接続部と、を有し、
前記光配線および前記電力線は、それぞれ、前記回動接続部の内側を通って、前記第１部材の内側と前記第２部材の内側とに配置されている請求項１ないし７のいずれか１項に記載のロボット。